(57)【要約】      （修正有）【課題】既存の蛍光灯装置を蛍光灯型LED照明器具に交換する作業において、安定器を含む回路部分を回避して配線する、いわゆるバイパス工法を採用した場合に被覆電線の切断ならびに結線作業において被覆電線端部をワイヤーストリッパなどの電線剥き工具を使用することなく、より簡単に接続作業をなし得るようにすること。【解決手段】蛍光灯器具の差込式電源端子台３に一端が差込接続されるバイパス用被覆電線Ｅ，Ｆの他端と、該蛍光灯器具のソケット５に固定接続された既存の被覆電線を中途部で切断した残部被覆電線Ｃ−１，Ｄ−１の切断端とを電気コネクタ１０により相互に導通するように電気接続する。又、この電気コネクタ１０とバイパス用被覆電線との組む合わせより電気接続キットを構成するとともにバイパス被覆電線の一端近傍部の被覆部分周囲に切り込み１２を設け、該バイパス被覆電線の一端の被覆を電線剥き工具なしで剥き作業可能とする。【選択図】図１
2016126831.tif 000002
【特許請求の範囲】
【請求項１】
一対のソケットと、電源に接続された電源端子台と、該端子台と一方のソケットとの間に接続された安定器を含む回路と、該端子台と該一方のソケットとを接続するために一端が該一方のソケットに固定接続されるとともに他端が該端子台に差込接続された第１の被覆電線と、一端が該第1の被覆電線の中途部に結線されるとともに他端が該他方のソケットに固定接続された第２の被覆電線とを備えた既設の蛍光灯器具を蛍光灯形LED照明器具に取替える交換作業において、
該端子台より引き抜いた前記第１の被覆電線の該他端に代えて一端が該端子台に差込接続される新規の第３の被覆電線の他端と、前記第２の被覆電線の中途部で切断されるとともに該他方のソケットに固定接続された側の残部被覆電線の切断端とを相互に導通するように電気接続する電気コネクタ。
【請求項２】
前記電気コネクタは、絶縁体にて形成された本体と、その一側面に設けられ前記第３の被覆電線の他端を挿入する第１の接続穴と、他側面に設けられ前記第２の被覆電線の残部被覆電線の切断端を挿入する第２の接続穴と、該第1及び第２の接続穴を横断して該本体に対して押し込み可能に配置された導通金属板とよりなり、該第1の接続穴に前記第３の被覆電線の他端が挿入されるとともに該第２の接続穴に前記残部被覆電線の切断端が挿入された状態で、該導通金属板を該本体に押し込むことによりこれら接続穴に挿入された電線端部を相互に導通してなる、請求項１に記載の電気コネクタ。
【請求項３】
前記第1及び第２の接続穴に挿入位置を規定するストッパを形成してなる、請求項１または２に記載の電気コネクタ。
【請求項４】
一対のソケットと、電源に接続された電源端子台と、該端子台と一方のソケットとの間に接続された安定器を含む回路と、該端子台と該一方のソケットとを接続するために一端が該一方のソケットに固定接続されるとともに他端が該端子台に差込接続された第１の被覆電線と、一端が該第1の被覆電線の中途部に結線されるとともに他端が該他方のソケットに固定接続された第２の被覆電線とを備えた既設の蛍光灯器具を蛍光灯形LED照明器具に取替える交換作業において、
該端子台より引き抜いた前記第１の被覆電線の該他端に代えて一端が該端子台に差込接続される新規の第３の被覆電線と、電気コネクタとの組み合わせよりなり、該電気コネクタが前記第３の被覆電線の他端と前記第２の被覆電線の中途部で切断されるとともに該他方のソケットに固定接続された側の残部被覆電線の切断端とを相互に導通するように電気接続してなり、該第３の被覆電線の該一端近傍部の被覆部分周囲に切り込みを設け、該第３の被覆電線の一端を該端子台への差込接続の際に該被覆部分を電線剥き工具なしで剥き作業可能としてなる、電気接続キット。
【請求項５】
既設の蛍光灯器具を蛍光灯形LED照明器具に取替える交換作業において使用される電気コネクタであって、
該蛍光灯器具の差込式電源端子台に一端が差込接続されるバイパス用被覆電線の他端と、該蛍光灯器具のソケットに接続された既存の被覆電線を中途部で切断した切断端とを相互に導通するように電気接続してなる電気コネクタ。
【請求項６】
前記電気コネクタは、絶縁体にて形成された本体と、その一側面に設けられ前記バイパス用被覆電線の他端を挿入する第１の接続穴と、他側面に設けられ前記既存の被覆電線の該切断端を挿入する第２の接続穴と、該第1及び第２の接続穴を横断して該本体に対して押し込み可能に配置された導通金属板とよりなり、該第1の接続穴に前記バイパス被覆電線の他端が挿入されるとともに該第２の接続穴に前記既存被覆電線の切断端が挿入された状態で、該導通金属板を該本体に押し込むことによりこれら接続穴に挿入された電線端部を相互に導通してなる、請求項５に記載の電気コネクタ。
【請求項７】
前記第1及び第２の接続穴に挿入位置を規定するストッパを形成してなる、請求項５または６に記載の電気コネクタ。
【請求項８】
既設の蛍光灯器具を蛍光灯形LED照明器具に取替える交換作業において使用される電気接続キットであって、
該蛍光灯器具の差込式電源端子台に一端が差込接続されるバイパス用被覆電線と、該バイパス用被覆電線の他端及び該蛍光灯器具のソケットに接続された既存の被覆電線を中途部で切断した切断端とを相互に導通するように電気接続する電気コネクタとの組み合わせよりなり、該バイパス用被覆電線の該一端近傍部の被覆部分周囲に切り込みを設け、該バイパス用被覆電線の一端の被覆を電線剥き工具なしで剥き作業可能としてなる電気接続キット。
【発明の詳細な説明】
【技術分野】
【０００１】
本発明は、既設の蛍光灯器具を蛍光灯形LED照明器具に取替える交換作業において使用する電気コネクタ及びその電気接続キットに関する。
【背景技術】
【０００２】
一般に用いられている蛍光灯器具は、蛍光灯の寿命が白熱電灯に比して長いとはいえLED(ダイオード）に比しては寿命も短く、又消費電力も大きい欠点があるため、今次においては設置してある蛍光灯器具を取り外して蛍光灯形LED照明器具に交換する工事が多くなってきている。蛍光灯器具を蛍光灯形LED照明器具に交換する方法としては、該蛍光灯器具の照明に必要としていた安定器を含む回路及びその配線部分を残したまま蛍光灯形LED照明器具を設置する方法と、該安定器及びその配線部分を切断あるいは取り外して該蛍光灯形LED照明器具を設置する、いわゆるバイパス工法がある。
【０００３】
特許文献１には、既設の蛍光灯器具に代えて蛍光灯形LED照明装置を取り付けるために該蛍光灯形LED照明装置の円筒パイプ内にLED点灯に必要はAC/DC変換器などの回路構成を備えたものが提案されている。又、特許文献２には、蛍光灯器具にLED電球を装着するアダプタを設けた構成が提案されている。
【先行技術文献】
【特許文献】
【０００４】
【特許文献１】特開２００１−３５１４０２号公報
【特許文献２】特開２０１３−１０１８５０号公報
【発明の概要】
【発明が解決しようとする課題】
【０００５】
一般の既設の蛍光灯装置にあっては、一対のソケットと、電源に接続された電源端子台と、該端子台と一方のソケットとの間に接続された安定器を含む回路と、該端子台と該一方のソケットとを接続するために一端が該一方のソケットに固定接続されるとともに他端が該端子台に差込接続された第１の被覆電線と、一端が該第1の被覆電線の中途部に結線されるとともに他端が該他方のソケットに固定接続された第２の被覆電線とを備えた構造のものが周知である。
【０００６】
このような構造の既設の蛍光灯器具を蛍光灯形LED照明器具に取替える交換作業において、蛍光灯器具を蛍光灯形LED照明器具に置き換える改造方法として前述したような蛍光灯器具用の安定器を含む回路及びその配線部分を残したまま蛍光灯形LED照明器具を設置する方法の場合は、交換作業自体は比較的容易であるが、既設の安定器に通電した状態で使用するので、該安定器における消費電力の無駄が発生し、せっかく電力使用の少ないLEDに交換しても省エネルギーの観点からは未だ望ましくない。又、安定器が古くなればこの故障による影響や、それから発生する安定器特有の不快音などの問題が残る。
【０００７】
他方、該安定器を含む回路及びその配線部分を切断あるいは取り外して該蛍光灯形LED照明器具を設置する、いわゆるバイパス工法の場合は、上記のような問題は解消されるが、安定器を含む回路及びその配線部分を配線から取り外す工事が面倒である。特に、安定器を含む回路に接続された被覆電線を切断し、これを除外した配線状態で該切断した電線端部を相互に導通するように接続する作業では、被覆電線端部の被覆部分をそれぞれワイヤーストリッパなどの電線剥き工具で剥き、これを相互に結線するために所要の結束具が必要になるため、作業自体に相当の時間ならびに熟練が必要になるといった問題があり、この作業をより短時間で、かつ未熟練者でも容易にできるようして低コストでかかる交換作業を遂行することが望まれる課題であった。
【課題を解決するための手段】
【０００８】
上記課題を解決するために、本発明においては、既設の蛍光灯器具を蛍光灯形LED照明器具に取替える交換作業において使用される電気コネクタであって、該蛍光灯器具の差込式電源端子台に一端が差込接続されるバイパス用被覆電線の他端と、該蛍光灯器具のソケットに接続された既存の被覆電線を中途部で切断した切断端とを相互に導通するように電気接続してなる電気コネクタを提案するものである。
【０００９】
又、本発明においては、前記電気コネクタは、絶縁体にて形成された本体と、その一側面に設けられ前記バイパス用被覆電線の他端を挿入する第１の接続穴と、他側面に設けられ前記既存の被覆電線の該切断端を挿入する第２の接続穴と、該第1及び第２の接続穴を横断して該本体に対して押し込み可能に配置された導通金属板とよりなり、該第1の接続穴に前記バイパス被覆電線の他端が挿入されるとともに該第２の接続穴に前記既存被覆電線の切断端が挿入された状態で、該導通金属板を該本体に押し込むことによりこれら接続穴に挿入された電線端部を相互に導通してなる構成の電気コネクタをも提案するものである。
【００１０】
更に、本発明においては、前記第1及び第２の接続穴に挿入位置を規定するストッパを形成してなる構成の電気コネクタをも提案するものである。
【００１１】
又更に、本発明においては、既設の蛍光灯器具を蛍光灯形LED照明器具に取替える交換作業において使用される電気接続キットであって、該蛍光灯器具の差込式電源端子台に一端が差込接続されるバイパス用被覆電線と、該バイパス用被覆電線の他端及び該蛍光灯器具のソケットに接続された既存の被覆電線を中途部で切断した切断端とを相互に導通する電気コネクタとの組み合わせよりなり、該バイパス用被覆電線の該一端近傍部の被覆部分周囲に切り込みを設け、該バイパス被覆電線の一端の被覆をワイヤーストリッパなどの電線剥き工具を用いることなく素手で剥き作業可能としてなる電気接続キットを提案するものである。
【発明の効果】
【００１２】
このように構成された本発明に係る電気コネクタ及びその電気接続キットを用いて、既設の蛍光灯器具を蛍光灯形LED照明器具に取替える交換作業において、
特に既設の安定器を含む回路及びその周辺の電線部分を回避して蛍光灯形LED証明装置を設置する、いわゆるバイパス工法を容易かつ短時間で交換作業を遂行できるものである。すなわち、一対のソケットと、電源に接続された電源端子台と、該端子台と一方のソケットとの間に接続された安定器を含む回路と、該端子台と該一方のソケットとを接続するために一端が該一方のソケットに固定接続されるとともに他端が該端子台に差込接続された第１の被覆電線と、一端が該第1の被覆電線の中途部に結線されるとともに他端が該他方のソケットに固定接続された第２の被覆電線とを備えた既設の蛍光灯器具を蛍光灯形LED照明器具に取替える交換作業において、該端子台より引き抜いた前記第１の被覆電線の該他端に代えて一端が該端子台に差込接続される新規のバイパス用被覆電線としての第３の被覆電線の他端と、前記第２の被覆電線の中途部で切断されるとともに該他方のソケットに固定接続された側の残部被覆電線の切断端とを電気コネクタによって相互に導通するように電気接続することにより、交換作業が完了する。従って、本発明においては、電気コネクタにより相互に接続すべき電線端部を、いわゆるワンタッチで電気接続できるので、既設の被覆電線を切断して安定器を含む回路を使用しないように配線する際に従来行われていたバイパス工法のごとく、切断した電線端部をワイヤーストリッパなどの電線剥き工具で剥くとともにこれらを相互に圧着器などの工具を使って結線し直して絶縁を施すといった面倒な作業を必要としないものである。このため、作業時間の短縮ならびに作業の容易性が向上し、未熟練の作業者でも交換作業を簡単になし得る効果がある。
【００１３】
又、本発明に係る電気コネクタを、絶縁体にて形成された本体と、その一側面に設けられ前記第３の被覆電線の他端を挿入する第１の接続穴と、他側面に設けられ前記第２の被覆電線の残部被覆電線の切断端を挿入する第２の接続穴と、該第1及び第２の接続穴を横断して該本体に対して押し込み可能に配置された導通金属板とよりなり、該第1の接続穴に前記第３の被覆電線の他端が挿入されるとともに該第２の接続穴に前記残部被覆電線の切断端が挿入された状態で、該導通金属板を該本体に押し込むことによりこれら接続穴に挿入された電線端部を相互に導通してなる構成とすることにより、電線端部を剥くことなく接続穴に挿入すれば導通金属板の押し込み動作で同時に一度に電気接続が可能であるから、電線端部を電線剥き工具などを使用して剥き作業を行うことが不要となり、接続作業を極めて簡単に遂行し得る効果がある。
【００１４】
更に、本発明の電気コネクタにおいて、前記第1及び第２の接続穴に挿入位置を規定するストッパを形成してなる構成とすれば、各接続穴に挿入される電線端部が該接続穴より突出するなどの懸念なく挿入位置が規定されるので、挿入される電線端部と電気コネクタとの位置関係が確定して電気接続作業をより容易にする効果がある。
【００１５】
更に又、本発明においては、該端子台より引き抜いた前記第１の被覆電線の該他端に代えて一端が該端子台に差込接続される新規のバイパス用被覆電線としての第３の被覆電線と、電気コネクタとの組み合わせより電気接続キットを構成し、
既設の蛍光灯器具を蛍光灯形LED照明器具に取替える交換作業において、該キットの該端子台より引き抜いた前記第１の被覆電線の該他端に該電気コネクタが前記第３の被覆電線の他端と前記第２の被覆電線の中途部で切断されるとともに該他方のソケットに固定接続された側の残部被覆電線の切断端とを相互に導通するように電気接続してなり、該第３の被覆電線の該一端近傍部の被覆部分周囲に切り込みを設け、該第３の被覆電線の一端を該端子台への差込接続の際に該被覆部分を電線剥き工具なしで剥き作業可能とすることにより、交換作業現場において
該電気接続キットを用いれば該バイパス用被覆電線の一端部を切り込み加工を施したところから電線剥き工具なしで容易に素手で剥いて電源端子台へ差込接続できるとともに他端を電気コネクタのところで残部被覆電線の切断端と一緒に電線端部の剥き作業なして電気接続できるものであり、該電気接続キットを交換作業における汎用の交換用接続部品してこれを単体で関係業者に販売することもできる効果がある。
【図面の簡単な説明】
【００１６】
【図１】既設の蛍光灯器具を蛍光灯形LED照明器具に取替える交換作業をバイパス工法により実施する際に使用される本発明に係る電気コネクタ及びその電気接続キットを含む交換作業の概要を示す電気接続配線図である
【図２】本発明に係る電気コネクタを含む電気接続キットを示す要部破断平面図である。
【図３】図２の拡大右側面図である。
【発明を実施するための形態】
【００１７】
以下、図面を参照して本発明の電気コネクタおよびその電気接続キットの実施形態を説明する。
【００１８】
図１は既設の蛍光灯器具を実線の配線構成で示し、これに対して蛍光灯形LED照明器具に取り替えるバイパス工法に沿った交換作業を行う本発明の電気コネクタ及びその電気接続キットを設置する部分の配線を破線で示した構成である。
【００１９】
まず、既設の蛍光灯器具の構成部分について説明すると、１はＡＣ１００Ｖの交流電源、３はこれに電線２を介して接続された電源端子台、４及び５は、左右一対のソケットをなすソケット(左）及びソケット(右）である。その一方のソケット４と端子台３とは第１の被覆電線Ａ，Ｂで接続され、該電線Ａ，Ｂの途中に安定器を含む回路６が設置されている。被覆電線Ａ，Ｂの一端はソケット(左）４に固定接続され、他端は端子台３の接続口（a),(b)にそれぞれ差込接続されている。差込接続とは、接続される被覆電線の端部の絶縁被覆を剥いだ電線部分を該接続口に差し込むことにより内部で掛止されて同時に導通し、力を入れて引き抜けば接続が絶たれる構造の電気接続で、このような端子台は差込式端子台として公知である。第１の被覆電線Ａ，Ｂの中途部において第２の被覆電線Ｃ，Ｄの一端がそれぞれ結線され、他方のソケット(右）５には第２の被覆電線Ｃ，Ｄの他端が他方のソケット(右）５に固定接続されており、これによって両ソケットに蛍光灯端部を嵌合させれば点灯する構成である。
【００２０】
上記構成の既設の蛍光灯器具をバイパス工法により蛍光灯形LED照明器具に取り替える交換作業を行う場合、作業者まず、端子台３より第１の被覆電線Ａ，Ｂの他端をそれぞれ引き抜き、電源導通状態を遮断するとともに第２の被覆電線Ｃ，Ｄを図１において「Ｘ」で示した途中部で切断し、他方のソケット(右）５に接続された電線部分（残部被覆電線）Ｃ−１，Ｄ−１を第１の被覆電線Ａ，Ｂに結線された電線部分Ｃ−２，Ｄ−２から切り離す。切断した電線部分Ｃ−２，Ｄ−２の切断端部は、適宜絶縁テープなどで絶縁しておく。
【００２１】
１０は、本発明に係る電気コネクタであり、その一側面（右側）において前記残部被覆電線Ｃ−１，Ｄ−１の切断端を破線で示すように接続するとともに他側面（左側）において新規のバイパス用被覆電線をなす第３の被覆電線Ｅ，Ｆの他端を破線で示すようにそれぞれ接続し、ここで後述するように該バイパス被覆電線の端部と残部被覆電線の切断端とを相互に導通するように電気接続する。電気コネクタ１０ならびにバイパス用被覆電線は各電線のラインに対応して一対用意される。これらバイパス用被覆電線の一端は、引き抜かれた第１の被覆電線Ａ，Ｂに代わって端子台３に接続口(a),(b)で差込接続される。この新規のバイパス用被覆電線Ｅ，Ｆは、図１においては略示してあるが、図２において参照番号１１で示すようにその一端１１aの近傍部の被覆部分周囲には切り込み１２を設けてある。従って、端子台３への差込接続にあたってはこの切り込み１２のところで素手で該端部を剥くことができるので、ワイヤーストリッパなどの電線剥き工具を使用することなく差込接続ができる。このようにして電気コネクタ１０を介して残部被覆電線Ｃ−１，Ｄ−１とバイパス用被覆電線Ｅ，Ｆを電気接続することにより交換作業が終了し、この既設の蛍光灯照明器具を安定器を含む回路６を回避した態様で蛍光灯形LED照明器具に変換することができる。
【００２２】
次に、この電気コネクタ１０の詳細構造を図２及び３で説明する。該電気コネクタ１０は各電線に対応して一対用意されるが、各電気コネクタ１０は、絶縁体にて形成された本体１３と、その一側面に開口して設けられバイパス用被覆電線１１の他端１１bを被覆を剥くことなく挿入する第１の接続穴１４と、他側面に設けられ残部被覆電線Ｃ−１，Ｄ−１の切断端をそれぞれ被覆を剥くことなく挿入する第２の接続穴１５と、該第1及び第２の接続穴１４，１５を横断して該本体３に対して押し込み可能に配置された導通金属板１６とよりなり、該第1の接続穴１４にバイパス用被覆電線１１の他端１１ｂが挿入されるとともに第２の接続穴１５の一方に残部被覆電線Ｃ−１，Ｄ−１の切断端がそれぞれ挿入された状態で、該導通金属板を該本体に押し込むことによりこれら両接続穴１４，１５に挿入された電線端部を相互に導通する。接続穴１５は実施形態においては一対設けられているが、これは設置する蛍光灯形LED照明器具が２灯型に対応するものであり、１灯型の場合はその一方の接続穴１５のみを使用する。
【００２３】
導通金属板１６は、図３に示すようにその下端部はスリット１６aを形成して櫛歯状になっているとともに本体１３に形成した縦溝１７内で上下に摺動可能で、通常の不使用状態では本体１３から突出した図示の上昇位置におかれる。この電気コネクタ１０の両側より各接続穴１４、１５に対応する電線端部が挿入された後、導通金属板１６をペンチなどで矢印で示す下方に押し込むと、この導通金属板の下端部が、挿入された電線端部に食い込むように係合し各電線の被覆部を破って内部の導通体の電線に接触することにより電線相互の電気接続がなされる。この状態で該本体１３に一体に形成した覆い１８を矢印で示すように図示した開いた位置から覆い１８の端部のフック１８aを本体１３に一体形成した受け部１３aに掛止することにより導通金属板１６を覆い不用意な接触の危険を防止する。
【００２４】
接続穴１４、１５内に挿入される電線端部の挿入深さは、それぞれの接続穴の奥位置に形成したストッパ１９により規定される。従って、各接続穴１４，１５に挿入される電線端部が該接続穴より突出するなどの懸念なく挿入位置が規定されるので、挿入される電線端部と電気コネクタ１０との位置関係が確定して電気接続作業をより容易にすることができる。
【００２５】
又、各接続穴１５内の入口部近傍には、図３で示すように十字状のスリットを有する弾性片２０が一体に形成され、対応する電線端部が接続穴に挿入された際にこれと摩擦接触して内方に変形し、一旦挿入された挿入端部の不用意な抜き出しを防止する作用を果たす。尚、接続穴１４についても同様の弾性片が設けられているが図示を省略してある。
【００２６】
更に本発明においては、該端子台３より引き抜いた前記第１の被覆電線の該他端に代えて一端が該端子台に差込接続される新規のバイパス用被覆電線１１と、電気コネクタ１０との組み合わせより電気接続キットが構成されるとともに前述したようにバイパス用被覆電線１１の一端１１aの近傍部において被覆部分周囲に切り込み１２を設けた構成としてあるので、電線剥き工具なしで容易に素手で剥いて電源端子台３へ差込接続できるとともに他端を電気コネクタ１０のところで電線端部の剥き作業なしで残部被覆電線の切断端と一緒に挿入されて、導通金属板１６をペンチなどで押し込むことにより、いわゆるワンタッチで電気接続できるものである。従って、該電気接続キットを汎用の交換用接続部品してこれを交換作業の現場に持ち込んで交換作業をより一層容易かつ迅速になし得る。この場合、バイパス用被覆電線の長さは交換作業を行う既設の蛍光灯器具の端子台と新設する電気コネクタの配置位置との間隔に対応したものを数種類用意しておけば、サイズの異なる既存の蛍光灯器具の交換作業に広く適用できる。
【００２７】
以上説明した本発明の実施形態においては、１灯型のものを基本として説明したが、２灯型のものも同様に交換作業をなし得る。又、実施形態では既設の蛍光灯器具として直管型のもので説明したが、円管型のものでも本発明は同様に適用できるものであり、本発明は実施形態に限定されるものではない。
【符号の説明】
【００２８】
１  電源
３  電源端子台
４，５  一対のソケット
６  安定器を含む回路
１０  電気コネクタ
１１  バイパス用被覆電線
１２  切り込み
１３  本体
１４，１５  接続穴
１６  導通金属板
１７  縦溝
１８  覆い
１９  ストッパ
【図１】
2016126831.tif 000003
【図２】
2016126831.tif 000004
【図３】
2016126831.tif 000005